(57)【要約】【課題】閉じ姿勢にある外蓋を内蓋とともに開かないように仮係止させ、仮係止前に内蓋が下方に傾いた姿勢にあるときには水平姿勢にさせ、段ボール箱に向けた取り付けにおける押し操作、取り付け解除の引き操作が容易に行える、段ボール箱の蓋留め具にする。【解決手段】段ボール箱２０の閉じた外蓋２２Ａ，２２Ｂの上面に添わせる上板部２と、内蓋２４Ａの下面に添わせる内蓋押え部４ｅと、上板部２と内蓋押え部４ｅとを接続する接続板部３とを有する。内蓋押え部４ｅは幅のある頂部を含む面部分で構成されている。接続板部３は上板部２の下面を略二分する中央個所の後部から下方に起立し、上板部２前方の内蓋押え部４ｅに至る。上板部２には、押し方向と引き方向の操作を容易にする操作部２ｂ，２ｃが設けられている。【選択図】図２
2016166044.tif 000002
【特許請求の範囲】
【請求項１】
段ボール箱の閉じ姿勢ある２枚の外蓋の上面に添わせる上板部と、内蓋の１枚の下面に添わせる内蓋押え部と、前記上板部と前記内蓋押え部とを前記外蓋と前記内蓋とを重ね合わせた上下間隔を設けて接続する接続板部とを有し、
前記内蓋押え部は幅のある頂部を含む面部分で構成され、
前記接続板部は、前記上板部の下面を略二分する中央個所の後部から該上板部の下方に向けて起立し、更に前記上板部の前方に延出して該上板部から離れた位置にある前記内蓋押え部を支持する長さを有し、
前記上板部に、指先による前記外蓋の突き合わせ先端部間に沿う前後方向に向けた移動操作を容易にする操作部が設けられていることを特徴とする段ボール箱の蓋留め具。
【請求項２】
前記上板部における上面の周縁近傍面は周縁部から内側に向けて高くなる緩やかな傾斜面にて形成され、該傾斜面で囲まれた幅広い面は高位の平坦面にて形成され、
前記操作部は、前記傾斜面の後部面よりなる押し操作用の操作部と、前記傾斜面の前部面よりなる引き操作用の操作部とにより構成されている、請求項１に記載の段ボール箱の蓋留め具。
【請求項３】
前記接続板部は、前方に向かうに従って若干上方に向かう傾斜した前後方向に長い細幅板部分と、該細幅板部分の下面に沿う個所に設けられた補強リブとにより構成されている、請求項１又は２に記載の段ボール箱の蓋留め具。
【請求項４】
前記内蓋押え部の前方に、斜め下方に向けた傾斜面が設けられ、その前方に、下方に向いた前記内蓋の先端部を掛けて押し上げる押上げ面が設けられている、請求項１乃至３のいずれかの項に記載の段ボール箱の蓋留め具。
【発明の詳細な説明】
【技術分野】
【０００１】  本発明は、段ボール箱の上端に片支持状態で設けられている２枚一対の外蓋を内蓋の１枚とともに閉じた状態で仮留めする段ボール箱の蓋留め具に関する。
【背景技術】
【０００２】  段ボール箱を保管箱や通い箱として複数回使用するリサイクル使用は、多くの生産現場及び流通現場で行われている。また、商品の梱包コスト削減のため段ボール箱をリサイクル使用する機会も多いる。段ボール箱のリサイクル使用では蓋を何度も開閉させるため、蓋の開閉が簡単に行え、粘着テープの貼り跡や接着材の跡が残らない専用の段ボール箱の蓋留め具を用いることが好ましい。段ボール箱の蓋留め具に関しては、例えば特許文献１の図１に示す蓋留め係止具、特許文献２の図１に示す留め具等が提案されている。
【先行技術文献】
【特許文献】
【０００３】
【特許文献１】特開平９−２１６６２０号公報の図１
【特許文献２】特開２０１２−１７６７６８号公報の図１
【発明の概要】
【発明が解決しようとする課題】
【０００４】  しかしながら、特許文献１の図１に示す蓋留め係止具は、連結板部１６の片側方に第２板部の後部面が位置している。このため、本願提出物件の図面における図９（ａ）に示すように、内蓋の先端部が水平位置よりも多少下方に向いている場合、蓋留め係止具を傾け、第２板部の先端部で内蓋を掛けて水平位置まで持ち上げる操作を行おうとしても、この後部面が外蓋の内側面に当たるため、第２板部の先端部を内蓋に掛ける位置まで届かすことができない。段ボール箱のリサイクル使用を繰り返すと、内蓋の折曲部は次第に張りを失い（柔軟になって）、内蓋を内側に折り曲げたとき水平位置より下方に向きい易くなる。【０００５】  また、同図９（ｂ）に示すように、内蓋の先端部が僅かに下方に傾いていると、第２板部の先端部と内蓋の先端部とが突き合った状態になり、第１板部と第２板部の間に外蓋と内蓋を挿み入れることが出来なくなるおそれがある。また、第１板部全体が凹凸の無い平坦な薄板形状であり、同図１０（ｂ）に示す矢方向の押し操作をする指先の引っ掛かりが無いため、この押し操作がし難い。蓋留め係止具を取り外すときの引き操作をする場合も同様の不具合が生じる。【０００６】  特許文献２の図１に示す留め具は線状部材で形成されている。このため、押え側（外蓋を押える部分）を指先で押して受け側（内蓋を下方から押える部分）を内蓋の裏面を押える位置まで移動させる操作をしたときに、受け側と内蓋の間に生じた摩擦力によって受け側が横方向に傾き易くなる。
また、内蓋を下方から押える部分の先端部と内蓋の先端部とが突き合った状態になったときに、細長い連結部を横方向に曲げてしまうおそれがある。
また、この留め具は、指先による押し操作と引き操作を容易にする引っ掛かりも無い。【０００７】  本発明は、上述した各不具合を解消するために提案されたものであり、閉じ姿勢にある外蓋を内蓋とともに開かないように仮留めし、この仮留め前に内蓋が下方に傾いた姿勢にあるときには水平姿勢にさせ、段ボール箱に向けた取り付けの際の押し操作、取り付け解除のための引き操作が容易に行える、段ボール箱の蓋留め具を提供することを解決課題とする。
【課題を解決するための手段】
【０００８】  請求項１に係る段ボール箱の蓋留め具は、段ボール箱の閉じ姿勢ある２枚の外蓋の上面に添わせる上板部と、内蓋の１枚の下面に添わせる内蓋押え部と、前記上板部と前記内蓋押え部とを前記外蓋と前記内蓋とを重ね合わせた上下間隔を設けて接続する接続板部とを有し、
前記内蓋押え部は幅のある頂部を含む面部分で構成され、
前記接続板部は、前記上板部の下面を略二分する中央個所の後部から該上板部の下方に向けて起立し、更に前記上板部の前方に延出して該上板部から離れた位置にある前記内蓋押え部を支持する長さを有し、
前記上板部に、指先による前記外蓋の突き合わせ先端部間に沿う前後方向に向けた移動操作を容易にする操作部が設けられている。【０００９】  本発明に係る段ボール箱の蓋留め具は、段ボール箱の２枚一対の内蓋と２枚一対の外蓋を内向きの略水平姿勢に折り曲げた状態を維持させ、不用意に外蓋と内蓋が開かない状態にするために用いられる、２枚の外蓋を留めるだけでは両外蓋の先端部が若干浮き上がるため、内蓋の１枚とともに２枚の外蓋を留める必要がある。【００１０】  段ボール箱の多くの種類は、四方の側壁の上端部から延出した状態で、２枚一対の内蓋と、２枚一対の外蓋が設けられている。この内蓋と外蓋は平面視において直交する向きにある。この種の段ボール箱を閉じる際には、先ず、２枚の内蓋を折り曲げて水平姿勢にし、続いて２枚の外蓋を折り曲げて水平姿勢に向けられる。このようにすると、内蓋の上に外蓋が重なって位置する。閉じ姿勢にある２枚一対の外蓋が閉じられると、２枚の外蓋の先端部が突き合わせた状態になる。これに対して、水平姿勢に向けられた２枚一対の内蓋の先端部間には大きな間隔がある。本発明に係る段ボール箱の蓋留め具は、このような上蓋構造を持つ段ボール箱に用いられる。【００１１】  本発明に係る段ボール箱の蓋留め具の使用では、外蓋を閉じ終える直前において、２枚一対の外蓋の突き合わせる側になる先端縁部間の隙間内に、前記接続板部を含む下方部分を上方から挿し込むという最初の作業が行われる。この後、外蓋を完全に閉じさせる。
そして、この蓋留め具の上板部を２枚の外蓋の突き合わせ端部に沿う上面部分に上方から押し当て、接続板部を２枚の外蓋の突き合わせ端部間から段ボール箱内に突入させ、内蓋押え部を水平姿勢にある２枚一対の内蓋の先端部間の大きな隙間から箱内に突入させるようにする。
そして、内蓋押え部が前方の１枚の内蓋押え部の下面に接する方向に、上板部を指先で押して蓋留め具全体を同方向にスライド移動させて、内蓋押え部がこの１枚の内蓋の下面に沿う方向に深く侵入させた状態にさせればよい。
このようにすると、２枚の外蓋と１枚の内蓋が上板部と内蓋押え部とによって挟まれた状態になる。このため、外蓋と内蓋は閉じられた状態が維持される。【００１２】前記接続板部は、前記内蓋押え部を前記上板部よりも前方に離れた位置にさせている。前記内蓋押え部は、前記接続板部の長手方向に対して平面視直交する方向に幅のある頂部を含む面部分を有しているため、内蓋の裏面を傷付けることなく押し付ける。【００１３】  請求項２に係る段ボール箱の蓋留め具は、更に前記上板部における上面の周縁近傍面は周縁部から内側に向けて高くなる緩やかな傾斜面にて形成され、該傾斜面で囲まれた幅広い面は高位の平坦面にて形成され、
前記操作部は、前記傾斜面の後部面よりなる押し操作用の操作部と、前記傾斜面の前部面よりなる引き操作用の操作部とにより構成される。
る。【００１４】  上板部にこの押し操作用の傾斜面と引き操作用の傾斜面があると、蓋留め具を外蓋と内蓋を挟み付ける方向の押し操作と、この挟み付けを解除させる方向の引き操作が容易になる。【００１５】  上板部は肉厚が厚いほど丈夫になるが、上板部の肉厚が厚くなると蓋留め具を取り付けた段ボール箱の上に段ボール箱を多少滑らせて積み上げる作業をする際に、蓋留め具を引っ掛けて、外蓋が破れたり、積み上げる段ボール箱の底を破損させたり、蓋留め具の向きが傾いたり、蓋留め具が脱落するおそれがある。商品を収容した段ボール箱をパレットやトラックの荷台等の上に積載する作業では、早さが要求されることが多く、段ボール箱を多少滑らせて積み上げることはよく行われている。【００１６】  本発明に係る蓋留め具の場合には、上板部は丈夫な板厚があり、上板部の周縁近傍面が緩やかな傾斜面であるため、上述した滑りを伴う積み上げ行為を行っても、積み上げる段ボール箱は上板部に引っ掛かることなく傾斜面に沿って上板部を乗り越える。【００１７】  請求項３に係る段ボール箱の蓋留め具は、請求項１又は２に記載の段ボール箱の蓋留め具において、更に、前記接続板部は、前方に向かうに従って若干上方に向かう傾斜した前後方向に長い細幅板部分と、該細幅板部分の下面に沿う個所に設けられた補強リブとにより構成される。【００１８】  段ボール箱は、３層構造の段ボール紙を材料としたものと、５層構造の厚口の段ボール紙を材料としたものとがある。汎用品の多くの段ボール箱は３層構造の段ボール紙で出来ているが、５層構造の段ボール紙で出来たものも少なくない。【００１９】  請求項３に係る蓋留め具は、３層構造の段ボール紙で出来た上蓋と、５層構造の段ボール紙で出来た上蓋のいずれにも対応出来る。即ち、上板部の下面と内蓋押え部の上端との間の上下間隔は、３層構造の段ボール紙で出来た外蓋と内蓋とを重ねた厚さに略合わせてある。【００２０】  ５層構造の段ボール紙で出来た外蓋と内蓋とを重ね合わせた状態で上板部と内蓋押え部の間に挿み入れる場合には、この挿み入れにより内蓋押え部を含めた細幅板部の途中長さ面と補強リブとが下方に押されて変形して、この挿み入れを可能にさせている。この変形はプラスチックが持つ自然な弾発力に依る。【００２１】  請求項４に係る段ボール箱の蓋留め具は、請求項１乃至３のいずれかの項に記載の段ボール箱の蓋留め具において、更に、前記内蓋押え部の前方に、斜め下方に向けた傾斜面が設けられ、その前方に、下方に向いた前記内蓋の先端部を掛けて押し上げる押上げ面が設けられている。【００２２】  リサイクル使用を繰り返した段ボール箱は、上蓋の折曲部の張りが失われて柔らかくなり、内蓋を内側に折り曲げたときに、内蓋の先端部が水平位置よりも下方に向くことがよくある。請求項４に係る蓋留め具は、このような場合にも対応できるようにした。【００２３】  即ち、内蓋の先端部が水平姿勢よりも若干下方に向いている場合には、内蓋押え部の前方に設けられている傾斜面が内蓋の先端部を押しつけて、内蓋の先端部をこの傾斜面に沿って水平姿勢になるまで滑り上がるようにした。【００２４】  内蓋の先端部が大きく下方に向いている場合には、蓋留め具の前部を下方に大��く傾けて、蓋留め具前端の前記押上げ面で内蓋の先端部を掛けて、内蓋の先端部を水平位置まで起こし上げる。
【発明の効果】
【００２５】  本発明に係る段ボール箱の蓋留め具によれば、以下の効果を奏する。
上板部と内蓋押え部とを起立した板部材よりなる接続部で接続し、蓋留め具全体を板状とし、接続部と内蓋押え部を上板部の下面を略二分する中央個所の前方に位置させた結果、外蓋の先端部に沿った直線方向の移動が正しい姿勢で行えるようになり、外蓋を内蓋の１枚とともに閉じた状態を維持させる仮留め付けが行えるようになった。【００２６】  また、上板上面の周縁近傍面を、周縁部から内側に向かうに従って次第に高くなる緩やかな傾斜面とし、この傾斜面で囲まれた内側面を幅広い高位の平坦面にした結果、この蓋留め具を取り付けた段ボール箱の上に段ボール箱を滑らせて積み上げる作業を行っても、蓋留め具を引っ掛けて破損させたり、外蓋が破れたり、蓋留め具の向きが傾いたり、蓋留め具が脱落する事態になることはない。【００２７】  また、上板部の上面に指先による操作のための操作部を設けた結果、蓋留め具の留め付け方向の押し操作と、この留め付けを解除する引き方向の操作が楽に行えるようになった。【００２８】  また、内蓋押え部の上面を頂部とする曲面形状とした結果、内蓋を押え部の先端部と内蓋の先端部とが突き合う向きになった場合でも、内蓋の先端部をこの曲面に沿って留め付け位置である水平位置まで押し上げることが出来るようになった。【００２９】  また、内蓋押え部の前方に斜め下方に向けた傾斜面を設けた結果、内蓋の先端部が水平位置よりも多少下方に向いている場合でも、内蓋の先端部をこの傾斜面で水平位置まで押し上げることが出来るようになった。【００３０】  また、この傾斜面の前方に、下方に向いた内蓋の先端部を掛けて押し上げる押上げ面を設けた結果、内蓋の先端部が大きく下方に向いている場合でも、この押上げ面を上方に起こして内蓋の先端部を水平姿勢まで押し上げることが出来るようになった。
【図面の簡単な説明】
【００３１】
【図１】（ａ）は上蓋が起立した状態にある段ボール箱の斜視図、（ｂ）は上蓋を外方向に折り曲げた状態にある段ボール箱の斜視図。
【図２】（ａ）は本発明に係る段ボール箱の蓋留め具を斜め上方から見た斜視図、（ｂ）は同じく斜め下方から見た斜視図、（ｃ）は同じく平面図、（ｄ）は同じく正面図。
【図３】（ａ）は段ボール箱の蓋留め具の使用方法における最初の工程を示した斜視図、（ｂ）は同じくその正面部分拡大断面図。
【図４】（ａ）は段ボール箱の蓋留め具の使用方法における途中工程を示した斜視図、（ｂ）は同じくその正面部分拡大断面図。
【図５】（ａ）は段ボール箱の蓋留め具の使用方法における最終工程を示した斜視図、（ｂ）は同じくその正面部分拡大断面図。
【図６】（ａ）は段ボール箱の蓋留め具の使用方法における途中工程の一つを示した正面部分拡大断面図、（ｂ）は同じく途中工程の他の１つを示した正面部分拡大断面図。
【図７】（ａ）は段ボール箱の蓋留め具による外蓋と内蓋の閉じ状態を解除する方法を示した斜視図、（ｂ）は同じくその正面部分拡大断面図。
【図８】（ａ）は本発明第２実施形態に係る段ボール箱の蓋留め具を斜め下方から見た斜視図、（ｂ）は同じく斜め上方から見た斜視図。
【図９】（ａ）（ｂ）（ｃ）はいずれも従来技術の蓋留め具が有する不具合を示した正面部分拡大断面図。
【発明を実施するための形態】
【００３２】  本発明を実施するための形態は次の実施例により一層明確に理解されるであろう。
【実施例】
【００３３】［段ボール箱］
図１（ａ）に上蓋を開放させた段ボール箱２０が示されている。
図１に示す平面視長方形状の段ボール箱２０は、商品の流通、保管等の梱包用として数多く使用されている。この段ボール箱２０は、多くの種類の段ボール箱と同様、四方の側板２１Ａ〜２１Ｄの上端に２枚一対の外蓋２２Ａ，２２Ｂと、２枚一対の内蓋２４Ａ，２４Ｂとが、夫々片支持状態で開閉自在に設けられている。【００３４】  未使用の段ボール箱２０の場合には、図１（ａ）に示すように、上方に起立した外蓋２２Ａ，２２Ｂと内蓋２４Ａ，２４Ｂは、商品の箱詰めを終えた後、内向き水平姿勢である閉じ方向に折り曲げられる。平面視長方形状の段ボール箱２０の場合、外蓋２２Ａ，２２Ｂは先端部２２ａ，２２ａを突き合わせた状態で閉じられる。内蓋２４Ａ，２４Ｂは先端部２４ａ，２４ａ間に大きな間隔を設けた状態で閉じられる。手作業による箱詰めの際には、図１（ｂ）に示すように外蓋２２Ａ，２２Ｂと内蓋２４Ａ，２４Ｂは外方向に折り曲げられることもある。また、段ボール箱２０をリサイクル使用すると、外蓋２２Ａ，２２Ｂと内蓋２４Ａ，２４Ｂの折り曲げ回数も増える。このため、折曲部２３，２３，２５，２５は次第に張りを失って柔らかくなる。【００３５】  本発明に係る段ボール箱の蓋留め具、外蓋２２Ａ，２２Ｂが先端部２２ａ，２２ａを突き合わせて閉じ、内蓋２４Ａ，２４Ｂが先端部２４ａ，２４ａ間に間隔を設けて閉じる段ボール箱２０用の蓋閉じ具である。蓋留め具は、閉じた外蓋２２Ａ，２２Ｂが開かないように、２枚一対の外蓋２２Ａ，２２Ｂと内蓋２４Ａ，２４Ｂの１枚とを重ね合わせた状態で挟み付けて仮係止させる留め付けを行う。【００３６】［第１実施形態の蓋留め具］
図２（ａ）〜（ｄ）に本発明第１実施形態に係る段ボール箱の蓋留め具（以下、蓋留め具と略称する。）１が示されている。
蓋留め具１は、段ボール箱の閉止状態にある２枚一対の外蓋の上面に添わせる上板部２と、閉止状態にある２枚一対の内蓋のうちの１枚の下面に添わせる内蓋押え部４と、上板部２と内蓋押え部４とを段ボール箱の外蓋と内蓋の厚さに略合わせた上下間隔Ｄを設け、内蓋押え部４を上板部２前方の離れた位置で接続する接続板部３とを有するプラスチック製の一体形成品である。上下間隔Ｄは、３層構造の段ボール紙で出来た外蓋と内蓋とを重ね合わせた寸法に略合わせてある。【００３７】  上板部２は、平面視において矢（イ）に示す縦方向の長さＬに対して横幅Ｗが若干長い略方形状を有する。上板部２の周縁部から上面の内側に向けた枠形状の周縁近傍面２ａは、内側に向かうに従って高くなる緩やかな傾斜面で形成されている。周縁近傍面２ａの後部面は、指先を添えて押し操作をする後部側の操作部２ｂとされ、周縁近傍面２ａの前部面は、指先を添えて引き操作をする前部側の操作部２ｃとされている。この押し操作と引き操作の語は、蓋留め具１の操作をどのような位置から行うかによって操作する方向が異なるため、例示したに過ぎない。周縁近傍面２ａで囲まれた内側面は幅広い平坦な高位面２ｄを有する。【００３８】  内蓋押え部４ｃは、縦方向に長い細幅板部４の頂部面で構成される。細幅板部４は、後端部を後下方に向けた円弧形状の後部面４ａと、前方に向かうに従って上方に傾斜した途中長さ面４ｂと、山形の稜線を持つ内蓋押え部４ｃと、前下方に傾斜した傾斜面４ｄと、斜上方に向けた押上げ面４ｅとを連続させた曲面形状を有する。押上げ面４ｅの先端部４ｆは下方折り曲げられている。細幅板部４の下面の長さ方向に沿う中央個所には補強リブ５が一体形成されている。【００３９】  接続板部３は、上板部２の下面を略二分する中央個所の後部から下方に向けて起立し、更に上板部２の前端下方位置まで延出した形状を有する。接続板部３の前端部は、細幅板部４の後部面４ａの上部中央個所に接続されて、上板部２の前端から前方に離れた位置に内蓋押え部４ｃを配置させてある。【００４０】  図３〜図７に蓋留め具１の取り付け方法が示されている。
蓋留め具１の取り付けは、図３（ａ）（ｂ）に示すように段ボール箱２０の内蓋２４Ａ，２４Ｂと外蓋２２Ａ，２２Ｂを閉じ終える前に、蓋留め具１の上板部２を手持ちして、上板部２の前方部分を外蓋２２Ａ，２２Ｂの先端部２２ａ，２２ａ間の隙間Ｓから段ボール箱２０の内側に向けて突入させることから始まる。【００４１】  続いて、図４（ａ）（ｂ）に示すように、外蓋２２Ａ，２２Ｂの先端部２２ａ，２２ａ間に蓋留め具１の接続板部３を挟んだ状態で、外蓋２２Ａ，２２Ｂの先端部２２ａ，２２ａを突き合わせて閉じる。
この後、蓋留め具１の上板部２の下面を外蓋２２Ａ，２２Ｂの上面に沿わせて、上板部２の後部側の操作部２ｂに指先を添え、上板部２を含めた蓋閉じ具１全体を矢示する前方に押す。
この押し操作により、外蓋２２Ａ，２２Ｂの下面と内蓋押え部４ｃの間に内蓋２４Ａが挿み入れられ、外蓋２２Ａ，２２Ｂと内蓋２４Ａ，２４Ｂは閉じた状態が維持される。【００４２】  この後、図５（ａ）（ｂ）に示すように、接続板部３の後部が内蓋２４Ａの先端部２４ａに当接する辺りまで蓋留め具１を前進させると、外蓋２２Ａ，２２Ｂと内蓋２４Ａは、上板部２の下面と内蓋押え部４ｃの上面との間に深く挿し込まれ、挾持された状態になって、外蓋２２Ａ，２２Ｂと内蓋２４Ａ，２４Ｂが確実に閉じられ、蓋留め具１が不用意に外れない状態になる。
段ボール箱２０の上部に確りと留め付けられた蓋留め具１は、上述した押し方向とは反対方向の引き操作による移動がない限り、外れることはない。【００４３】  蓋留め具１の取り付けの際に、図６（ａ）に示すように内蓋２４Ａの先端部２４ａが多少下方に傾いている場合には、上述した押し操作に伴う内蓋押え部４ｃ前方の傾斜面４ｄが内蓋２４Ａの先端部２４ａを押し、この先端部２４ａを傾斜面４ｄに沿って水平位置まで押し上げる。【００４４】  図６（ｂ）に示すように、内蓋２４Ａの先端部２４ａが大きく下方に向いている場合でも、蓋留め具１の前方を大きく下方に傾けたときに細幅板部４の前端に位置する押上げ面４ｅが内蓋４の先端部４ａの下方位置に届けば、押上げ面４ｅで内蓋４の先端部４ａを掛け、押上げ面４ｅを上方に起こして、内蓋２４Ａの先端部２４ａを水平位置まで押し上げることが出来る。内蓋押え部４ｅが内蓋２４Ａの裏面に接しているか否かは、蓋留め具１を操作する手の感触で判る。内蓋押え部４ｅが内蓋２４Ａの裏面に届いたときには、蓋留め具１の押し方向の移動が堅くなる。【００４５】  段ボール箱２０に取り付けていた蓋留め具１を取り外す場合には、上板部２の前部側の操作部２ｃに指先を押し当てて、蓋留め具１を矢示する方向に引き、内蓋押え部４ｅが内蓋２４Ａの先端部２４ａから外れる位置まで移動させる。
このようにすると、蓋留め具１の上板部２を指先で持って簡単に外すことが出来、外蓋２２Ａ，２２Ｂを開けることが出来るようになる。蓋留め具１を取り付けたまま外蓋２２Ａ，２２Ｂの前後いずれかの縁部に指先を掛けて外蓋２２Ａ，２２Ｂを手で開ける操作を行っても、外蓋２２Ａ，２２Ｂは簡単に開き、蓋留め具１は外蓋２２Ａ，２２Ｂから外れる。【００４６】  ［第２実施形態の蓋留め具］
図７（ａ）（ｂ）に本発明第２実施形態に係る段ボール箱の蓋留め具（以下、蓋留め具と略称する。）１０が示されている。
この蓋留め具１０は、上板部２から操作部１１を立て起こすことが出来る構造を有するプラスチック製の一体成型品である。その他の部分は図２に示す第１実施形態に係る蓋留め具１と同様であるため、蓋留め具１と同じ符号を付して重複する説明は省略した。
蓋留め具１０の上板部２は、片側部分がコ字形状に大きく切欠かれた切欠部２ｇが形成されており、上板部２の略中央側になる切欠部２ｇの縁部に、切欠部２ｇの大きさに合わせた操作部１１が接続されている。操作部１１の接続部は２ｍ薄肉構造の折曲部で構成されており、このため、操作部１１は直立に起立した姿勢から切欠部２ｇ内に収まる方向に開閉自在に片支持されている。
操作部１１は、蓋留め具１０の上蓋部２と内蓋留押え部４ｅとの間の上下間隔内に段ボール箱の外蓋と内蓋とを挿し入れる際の蓋留め具１０の移動をさせるときの、指先で挟み持つ部分になる。【００４７】  蓋留め具１０を段ボール箱に取り付けて外蓋が開かない状態に閉じた後は、操作部１１を倒して切欠部２ｇ内に収める。切欠部２ｇの後部側の縁部２ｊには、操作部１１の後部側の縁部に設けられている突部１１ａを突入させて係合するＬ字形状に切欠かれた係合部２ｈが形成されている。切欠部２ｇの前部側の縁部２ｎには、操作部１１の前部側の縁部に設けられている突部１１ｂを突入させて係合するＬ字形状に切欠かれた係合部２ｋが形成されている。【００４８】  操作部１１を倒伏させて切欠部２ｇ内に収めると、操作部１１の後部側の突部１１ａが切欠部２ｇ係合部２ｈ内に係合し、操作部１１の前部側の突部１１ｂが切欠部２ｇ係合部２ｋ内に係合する。操作部１１を切欠部２ｇ内に収めると、操作部１１の上面が上板部２の上面と略面を揃え、操作部１１の下面が上板部２の下面と面を揃えた状態になる。即ち、操作部１１が上板部２一体となった平坦な状態になる。
【産業上の利用可能性】
【００４９】  本発明に係る段ボール箱の蓋留め具は、段ボール箱を用いることがある、小型商品の生産から、流通、保管、販売に至るあらゆる分野において利用可能性がある。
【符号の説明】
【００５０】  １    （本発明第１実施形態に係る段ボール箱の）蓋留め具
２    上板部
２ａ  周縁近傍面
２ｂ  操作部
２ｃ  操作部
２ｄ  高位面
３    接続板部
４    細幅板部
４ａ  後部面
４ｂ  途中長さ面
４ｃ  内蓋押え部
４ｄ  傾斜面
４ｅ  押上げ面
５    補強リブ
６    係止部
７    立設板部
８    折返し板部
１０    （本発明第２実施形態に係る段ボール箱の）蓋留め具
１１    操作部
２０    段ボール箱
２２Ａ，２２Ｂ  外蓋
２２ａ  先端部
２４Ａ，２４Ｂ  内蓋
２４ａ  先端部
【図１】
2016166044.tif 000003
【図２】
2016166044.tif 000004
【図３】
2016166044.tif 000005
【図４】
2016166044.tif 000006
【図５】
2016166044.tif 000007
【図６】
2016166044.tif 000008
【図７】
2016166044.tif 000009
【図８】
2016166044.tif 000010
【図９】
2016166044.tif 000011